(57)【特許請求の範囲】
【請求項１】
ケーシングの上面及びまたは前面に吸込口を設け、前面下部に、上下風向板を備えた吹出口を設け、前記ケーシング内には、前記吸込口と前記吹出口とを結ぶ空気流路に熱交換器と送風ファンとを設けるとともに、これらの一側に電装品箱を設けてなる空気調和機において、
前記吹出口を形成する前記電装品箱側の側壁をクランク状に折曲して拡幅部を形成するとともに、同拡幅部に隣接するように、前記ケーシングの前面に表示部を設け、前記拡幅部の裏面に形成された空間に、前記上下風向板を駆動するモータを、同モータの回転軸が前記電装品箱側となるように配置し、前記回転軸を、前記吹出口と前記表示部との間に配置されたギアーボックスを介して前記上下風向板に接続するとともに、前記表示部の上方に、配線を挿通する配線ダクトと、前記電装品箱とを配置させてなることを特徴とする空気調和機。
【請求項２】
前記電装品箱と前記配線ダクトとは、上下一体に形成されてなることを特徴とする請求項１に記載の空気調和機。
【発明の詳細な説明】
【技術分野】
【０００１】
本発明は、空気調和機に関わり、より詳細には、本体の一側に設けられる、配線用ダクト、表示装置及び風向板駆動モータ等をコンパクトに収納し、本体の小型化を図る構成に関する。
【背景技術】
【０００２】
従来の空気調和機として、例えば図１０（Ａ）で示す空気調和機５０は、本体５１の前面に前面吸込口５２を、上面に上面吸込口５３を設け、本体前面下部に吹出口５４を設けている。前記前面吸込口５２及び上面吸込口５３と前記吹出口５４とを結ぶ空気流路には、くの字状に折曲された熱交換器５５と、同熱交換器５５で熱交換された空気を前記吹出口５４から室内に送出する送風ファン５６とが設けられている。
【０００３】
前記吹出口５４には、前後一対に上下風向板５７ａ、５７ｂが設けられるとともに、吹出される空気を左右方向に偏向する複数の左右風向板５８が設けられている。これら上下風向板５７ａ、５７ｂ及び左右風向板５８は、図７（Ｂ）及び図７（Ｃ）で示すように、本体５１の右側に設けられた、第一駆動モータ５９及び第二駆動モータ６０に接続されており、第一駆動モータ５９は前記左右風向板５８を、第二駆動モータ６０は前記上下風向板５７ａ、５７ｂを夫々駆動するようになっている（例えば、特許文献１参照）。
【０００４】
前記第一駆動モータ５９と第二駆動モータ６０とをコンパクトに収納するため、空気調和機５０においては、これらを図７（Ｂ）で示すように、左右方向にずらして配置するとともに、図７（Ｃ）で示すように、上下方向で重なるようにして収納スペースの効率化を図っている。
【０００５】
しかしながら、風向板の駆動モータが位置する本体の一側には、更に配線通路あるいは表示部等が配置されることが多く、これらのより効率的な配置方法が求められていた。
【特許文献１】特開平８−１５９５４８号（２頁、図４）
【発明の開示】
【発明が解決しようとする課題】
【０００６】
本発明は、上記問題点に鑑み、風向板の駆動モータ、配線通路あるいは表示部等が効率的に配置され、本体を小型化することができる空気調和機を提供することを目的とする。
【課題を解決するための手段】
【０００７】
本発明は、上記課題を解決するため、ケーシングの上面及びまたは前面に吸込口を設け、前面下部に、上下風向板を備えた吹出口を設け、前記ケーシング内には、前記吸込口と前記吹出口とを結ぶ空気流路に熱交換器と送風ファンとを設けるとともに、これらの一側に電装品箱を設けてなる空気調和機において、前記吹出口を形成する前記電装品箱側の側壁をクランク状に折曲して拡幅部を形成するとともに、同拡幅部に隣接するように、前記ケーシングの前面に表示部を設け、前記拡幅部の裏面に形成された空間に、前記上下風向板を駆動するモータを、同モータの回転軸が前記電装品箱側となるように配置し、前記回転軸を、前記吹出口と前記表示部との間に配置されたギアーボックスを介して前記上下風向板に接続するとともに、前記表示部の上方に、配線を挿通する配線ダクトと、前記電装品箱とを配置させてなる構成となっている。
ことを特徴とする空気調和機。
【０００８】
また、前記電装品箱と前記配線ダクトとは、上下一体に形成されてなる構成となっている。
【発明の効果】
【０００９】
本発明によると、吹出口の所謂ダミー吹出部後方に形成された空間に、上下風向板駆動モータを逆向きにして配置するとともに、ギアーボックスを介して上下風向板に接続し、電装品箱と配線ダクトとを樹脂材により上下に一体成型した電装部ユニットを、前記上下風向板駆動モータと干渉することなくケーシングの右側に配置することにより、大型化を防いでコンパクト化された空気調和機とすることができるようになっている。
【発明を実施するための最良の形態】
【００１０】
以下、本発明の実施の形態を、添付図面に基づいた実施例として詳細に説明する。
【実施例１】
【００１１】
図１は本発明による空気調和機を示し、（Ａ）は外観斜視図で（Ｂ）は断面図であり、図２（Ａ）は開閉グリルを取り外した斜視図であり、図２（Ｂ）は開閉グリルと吸込グリルを取り外した斜視図である。図３はフィルタの自動清掃を示す要部説明図で、（Ａ）はフィルタを熱交換器の前方側に移動させた状態を示す断面図で、（Ｂ）は後方側に移動させた状態を示す断面図である。図４は要部説明図で、（Ａ）は前部フレームおよび後部フレームからなるフレーム部の斜視図で、（Ｂ）は後部フレームから前部フレームが離脱する状態を示す斜視図である。図５及び図６は本体の右側部内構造を示す斜視図であり、図７は電装部ユニットを示す斜視図である。図８は本体右側部の分解斜視図であり、図９は、その断面図である。
【００１２】
本発明による空気調和機は、図１（Ａ）および図１（Ｂ）と、図２（Ａ）および図２（Ｂ）と、図３（Ａ）および図３（Ｂ）と、図４（Ａ）および図４（Ｂ）とで示すように、吸込グリル１５ａを上面に備えたケーシング１５内に設けられたフレーム部１が、熱交換器９の両側を支持する支持部１ａを備えた左右の支持板１ｂと、同支持板１ｂを連結する連結板１ｃとからなる後部フレーム１ｄと、同後部フレーム１ｄの下部に送風ケーシング１ｅを接合してなるベース部１ｆと、前記後部フレーム１ｄの前部に、接離部Ｐにおいて接離可能となるように取り付けられた前部フレーム１ｇとからなる構成になっている。
【００１３】
前記前部フレーム１ｇの上面部および前面部に設けられた吸込口２と、前記送風ケーシング１ｅの前端部に設けられた吹出口３とを結ぶ空気通路には、前記吸込口２の内面側に沿って配された板状のフィルタ４と、前部熱交換器７と後部熱交換器８とで断面逆Ｖ字状に形成され、等間隔で平行に並べられた多数のフィンおよびこのフィンに直交する伝熱管９ａからなる熱交換器９と、送風ファン１１とが設けられている。
【００１４】
尚、前記前部フレーム１ｇの前面部に設けられた吸込口２は、図１（Ｂ）で、前面パネル１６に備えた開閉グリル１６ａの開放位置を二点鎖線で示すように、同開閉グリル１６ａを矢印のように回動することによって開放され、前記上面部の吸込口２から吸い込まれるのと同時に被空調室の空気を吸い込めるようになっている。
【００１５】
前記吸込口２から吸い込まれた空気は、この吸込空気中に含まれた塵埃が前記フィルタ４により捕捉されることによって清浄化されたのち、前記熱交換器９により熱交換されて前記送風ファン１１により前記吹出口３に送出されるようになっている。また、前記吹出口３には、左右方向の風向を偏向する左右風向板１２と、上下方向の風向を偏向するディフューザ１３および上下風向板１４とが回動自在に軸支されている。
【００１６】
前記清掃装置５は、図１（Ｂ）に示すように、前記フィルタ４の前端部および後端部間の中間位置に設けられており、また、同フィルタ４は、図１（Ｂ）に示す領域Ａの位置に、前記吸込口２の内面側に沿って前記前部フレーム１ｇに形成された移動経路６により、前記前部熱交換器７の前方側に形成された空間内と、前記前部熱交換器７および前記後部熱交換器８の上方側とで移動可能であり、同時に、前記後部フレーム１ｄに形成された移動経路６により、前記後部熱交換器８の後方側に形成された空間内で移動可能に保持されており、図２（Ａ）および図２（Ｂ）に示すフィルタ駆動部１７に連係された駆動歯車により、前記フィルタ４はガイド手段１０により導びかれながら前記清掃装置５内を通過しまた、前後方向に移動する構成になっている。
【００１７】
前記フィルタ４は、図１（Ｂ）に示す領域Ａの位置に装着されることで、前記清掃装置５の前部の範囲が前記前部フレーム１ｇの前面部に設けられた前記吸込口２に対向し、前記清掃装置５の後部の範囲が前記前部フレーム１ｇの上面部に設けられた前記吸込口２に対向するようになっている。前記フィルタ４は可撓性を有しており、前記清掃装置５の後部の範囲を清掃する際、前記熱交換器９の前方側および上方側に対応して前記前部フレーム１ｇに形成されるとともに、前記前部フレーム１ｇの前面部に設けられた吸込口２の下端に対応する位置からＵ字状に折り返されて形成された前記移動経路６に沿って、図１（Ｂ）に破線で示すように、同フィルタ４の前端部側から移動することになる。
【００１８】
次に、ケーシング１５の右側内部の構成について説明する。図５の斜視図で示すように、ケーシング１５の右側内部には、上方から、図示しない室外機に接続される、多数の電子部品を搭載した複数の制御基板や、後述するファンモータ及び複数の駆動モータに電源を供給する電源基板等を収納したボックス状の電装品箱１９が設けられ、同電装品箱１９の下部には、断面矩形状に形成された配線ダクト２０が形成されている。同配線ダクト２０の後部には円形状の配線導出孔２０ａが穿設され、前部には矩形状の開放口２０ｂが形成されており、これら電装品箱１９と配線ダクト２０とは、電装部ユニット１８として一体に形成されるようになっている。前記電装品箱１９の制御基板や電源基板は後述する端子台２４に電気的に接続され、同端子台２４に接続された複数の配線は、前記開放口２０ｂから配線ダクト２０を通り、前記配線導出孔２０ａから外部に導出されるようになっている。
【００１９】
前記配線ダクト２０の左側下部には、垂直状に立設されたフレームが設けられ、同フレームには後方側から順次、前記デフューザ１３を回転駆動するデフューザ駆動モータ２１と、前記左右風向板１２を、リンク２２ａを介して駆動する左右風向板用駆動モータ２２とが設けられるとともに、前記上下風向板１４を駆動する、後述する上下風向板駆動モータ２８に連結されるギアーボックス２３とが設けられている。
【００２０】
前記デフューザ１３は、暖房運転時、前記デフューザ駆動モータ２１により下方に向かい、ほぼ垂直状に近い角度まで回動され、上昇しやすい暖気を床面に向かい吹出せるようになっている。前記左右風向板用駆動モータ２２は、図示しないギア機構を介して前記リンク２２ａに接続され、同リンク２２ａが左右方向に周期的に移動することにより、前記左右風向板１２を揺動させ、前記吹出口３から吹出される空気を左右方向に偏向するようになっている。
【００２１】
前記電装品箱１９の前面側には、図６で示すように、複数の端子孔２４ａを水平方向に配設した端子台２４が傾斜するように設けられ、その下方には、前記配線ダクト２０の開放口２０ｂに対応するように、断面略コ字状に形成された配線ホルダ２５が形成されている。端子台２４に接続された複数の配線は、前記配線ホルダ２５により線整理して束ねられ、上記したように前記開放口２０ｂから、前後方向に貫通するように形成され、前記電装品箱１９の直下に位置する配線ダクト２０に入り、これを通過して、前記配線導出孔２０ａから外部に導出されるようになっている。また、前記配線ダクト２０の下方であって、前記ギアーボックス２３の前面側には、運転モード及び室温等を表示する複数のＬＥＤ２６ａを配設したボックス状の表示部２６が、前面側に傾斜して取付けられるようになっている。
【００２２】
前記電装品箱１９と前記配線ダクト２０とは、図７で示すように、電装部ユニット１８として樹脂材により連続して一体成型されており、電装品箱１９は右側面が開放され、複数の制御基板及び電源基板等を収納する収納部１９ａと、樹脂材から形成され同収納部１９ａに被着する、斜線で示すカバー部１９ｂとからなっている。また、同カバー部１９ｂの表面には、電磁波対策としての、図示しない板金が表面に被着されるようになっている。
【００２３】
図８は、上記した構成の分解斜視図であり、クロスフローファンとしての前記送風ファン１１には、これを回転駆動するファンモータ１１ａが接続され、同ファンモータ１１ａの斜め下方には、前記デフューザ駆動モータ２１と、左右風向板用駆動モータ２２と、ギアーボックス２３とが配設され、同ファンモータ１１ａの前面側には、前記ギアーボックス２３に接続され、同ギアーボックス２３を介して前記上下風向板１４を駆動する上下風向板駆動モータ２８が設けられている。これらの構成に、前記配線ダクト２０を一体形成した前記電装部ユニット１８が、前記ファンモータ１１ａの側面に位置するように装着され、続いて、ボックス状に形成された前記表示部２６が、樹脂材からなる取付具２７を介して、前記電装部ユニット１８の下方に位置して装着されるようになっている。
【００２４】
図９の断面図で示すように、前記吹出口３は、デザイン的な観点から、点線で示す送風ファン１１の左右長より広い範囲まで形成されており、側壁３２ａからクランク状に折曲された上面部３２ｂと側板３２ｃとにより、吹出口３の両側には、矢印で示す範囲の、所謂、空気の吹出しのない拡幅部Ａが形成され、同拡幅部Ａの後方となる前記上面部３２ｂの裏面には、これにより空間部３１が形成されるようになっている。同空間部３１には、前記上下風向板駆動モータ２８の回転軸２８ａが外方に向くようになるように、同上下風向板駆動モータ２８は、所謂、逆向きにして配置されている。前記回転軸２８ａは前記ギアーボックス２３を介して前記上下風向板１１に接続されており、前記空間部３１に前記上下風向板駆動モータ２８を配置することにより、前記電装品箱１９の下方に前記配線ダクト２０を、また、前記吹出口３に則して前記表示部２６を配置することができるようになっている。これらにより、前記電装品箱１９と前記配線ダクト２０とを樹脂材により上下に一体成型した電装部ユニット１８を、前記上下風向板駆動モータ２８と干渉することなくケーシング１５の右側に配置でき、種々の機器を配置したことによる大型化を防いでコンパクト化された空気調和機とすることができるようになっている。
【００２５】
前記ギアーボックス２３内には、所謂、逆向きに配置された前記上下風向板駆動モータ２８の回転軸２８ａに連結される小径のピニオンギアー２３ａと、これに噛合する大径のギアー２３ｂとが収納されており、前記上下風向板１４の裏面には、水平方向に突設した軸を、吹出口３内に垂下する複数のステー３０に回動自在に軸支されるリブ１４ｂが複数設けられ、側端部には、水平方向に突設した軸を前記ギアー２３ｂの回転軸と継手２９を介して連結される連結リブ１４ａが設けられている。前記上下風向板駆動モータ２８が駆動されると、前記ピニオンギアー２３ａと大径のギアー２３ｂを介し減速されて前記上下風向板１１が上下方向に揺動し、吹出口３から吹出される空気を偏向するようになっている。
【図面の簡単な説明】
【００２６】
【図１】（Ａ）は本発明による空気調和機の外観斜視図である。
【００２７】
（Ｂ）は本発明による空気調和機の断面図である。
【図２】（Ａ）は開閉グリルを取り外した斜視図である。
【００２８】
（Ｂ）は開閉グリルと吸込グリルを取り外した斜視図である。
【図３】フィルタの自動清掃を示す要部説明図で、  （Ａ）はフィルタを熱交換器の前方側に移動させた状態を示す断面図である。
【００２９】
（Ｂ）は後方側に移動させた状態を示す断面図である。
【図４】要部説明図で、  （Ａ）は前部フレームおよび後部フレームからなるフレーム部の斜視図である。
【００３０】
（Ｂ）は後部フレームから前部フレームが離脱する状態を示す斜視図である。
【図５】本体の右側部内構造を示す斜視図である。
【図６】本体の右側部内構造を示す斜視図である。
【図７】電装部ユニットを示す斜視図である。
【図８】本体右側部の分解斜視図である。
【図９】本体右側部の断面図である。
【図１０】従来の空気調和機を示す断面図である。
【符号の説明】
【００３１】
１  フレーム部
１ａ  支持部
１ｂ  支持板
１ｃ  連結板
１ｄ  後部フレーム
１ｅ  送風ケーシング
１ｆ  ベース部
１ｇ  前部フレーム
２  吸込口
３  吹出口
４  フィルタ
４ａ  網部
４ｂ  枠部
４ｃ  従動歯車
５  清掃装置
５ａ  清掃ブラシ
５ｂ  ブラシ駆動モータ
５ｃ  貯留部
６  移動経路
７  前部熱交換器
８  後部熱交換器
９  熱交換器
９ａ  伝熱管
１０  補助ガイド手段
１０ａ  底面
１０ｂ  側面
１１  送風ファン
１１ａ  ファンモータ
１２  左右風向板
１３  ディフューザ
１４  上下風向板
１４ａ  連結リブ
１４ｂ  リブ
１５  ケーシング
１５ａ  吸込グリル
１６  前面パネル
１６ａ  開閉グリル
１７  フィルタ駆動部
１８  電装部ユニット
１９  電装品箱
１９ａ  収納部
１９ｂ  カバー部
２０  配線ダクト
２０ａ  配線導出孔
２０ｂ  開放口
２１  デフューザ駆動モータ
２２  左右風向板用駆動モータ
２２ａ  リンク
２３  ギアーボックス
２３ａ  ピニオンギアー
２３ｂ  ギアー
２４  端子台
２４ａ  端子孔
２５  配線ホルダ
２６  表示部
２６ａ  ＬＥＤ
２７  取付具
２８  上下風向板駆動モータ
２８ａ  回転軸
２９  継手
３０  ステー
３１  空間部
【図１】
0004835597.tif 000002
【図２】
0004835597.tif 000003
【図３】
0004835597.tif 000004
【図４】
0004835597.tif 000005
【図５】
0004835597.tif 000006
【図６】
0004835597.tif 000007
【図７】
0004835597.tif 000008
【図８】
0004835597.tif 000009
【図９】
0004835597.tif 000010
【図１０】
0004835597.tif 000011